(57)【要約】【課題】簡単かつ廉価な構造でありながら、使用者の緊張状態を簡易に検知することができる緊張状態検知具を提供する。【解決手段】緊張状態検知具１０として、基端部にグリップ１１が取り付けられ、かつ先端部にストッパ１２が固定された本体ロッド１３と、本体ロッド１３の長さ方向にスライド自在に装着され、かつスライドしてストッパ１２に衝突した際に衝突音を発生させる衝突スライダ１４〜１６とを備えた構造のものを採用した。これにより、簡単かつ廉価な構造でありながら、使用者の緊張状態を簡易に検知することができる。【選択図】図１
0003212892.tif 000002
【実用新案登録請求の範囲】
【請求項１】
基端部にグリップが取り付けられ、かつ先端部にストッパが固定された本体ロッドと、
該本体ロッドの長さ方向にスライド自在に装着され、かつスライドして前記ストッパに衝突した際に衝突音を発生させる衝突スライダとを備えたことを特徴とする緊張状態検知具。
【請求項２】
前記衝突スライダは、前記本体ロッドの外周面にスライド自在に装着され、
前記ストッパは、前記本体ロッドの先端部の外周面に突設されたことを特徴とする請求項１に記載の緊張状態検知具。
【請求項３】
前記衝突スライダは複数で、そのうち、最もストッパ側の衝突スライダのスライド面の摩擦力の方が、残りの衝突スライダのスライド面の摩擦力より大きいことを特徴とする請求項１または請求項２に記載の緊張状態検知具。
【請求項４】
前記衝突スライダには、該衝突スライダのスライド面の摩擦力を変更する摩擦力変更構造部が設けられたことを特徴とする請求項１〜請求項３のうち、何れか１項に記載の緊張状態検知具。
【考案の詳細な説明】
【技術分野】
【０００１】
本考案は、使用者の緊張状態を簡易に検知するための緊張状態検知具に関する。
【背景技術】
【０００２】
例えば、運動競技において、プレーヤーが過度に緊張し、実力を発揮できないことが多々ある。
ここでいう“緊張（ストレス）”とは、ある刺激（ストレッサー）が人間に加えられたとき、その人間が示す防御反応を意味する。人間はこれに暴露されると、刺激に対する反応がストレスとして身体・精神・行動等に現れる。適度な緊張は人間に好適な作用をもたらすものの、この刺激の量や時間の過重が人間の適応能力を超えたとき、身体に変調をきたしてしまう。
すなわち、人間は過度の精神的なストレスが作用すると、筋肉が硬直し、自己のパフォーマンスを十分に発揮することができない。例えば、テニスの試合に際しては、ラケットのスイングスピードが低下し、振り遅れが生じる。また、いつもは難なくとれるボールに足が追いつかない。
一方、人間は過剰な緊張状態に陥ると思考力も低下する。そのため、硬直している筋肉の状態が自覚できず、深呼吸やストレッチをする等の緊張状態を緩和する対処法を講じることができない。
【０００３】
従来、このような緊張状態を検出する技術として、例えば、特許文献１の“生体状態関連情報提供システム”が知られている。これは、人間の唾液を採取し、その唾液に含まれて人間のストレスを反映する唾液アミラーゼ活性を唾液アミラーゼモニタによって測定し、その測定値に基づき、人間のストレス状態を検知するというものである。
【先行技術文献】
【特許文献】
【０００４】
【特許文献１】特開２００３−２０４９４２号公報
【考案の開示】
【考案が解決しようとする課題】
【０００５】
しかしながら、特許文献１の生体状態関連情報提供システムでは、人間の唾液を採取した後、高価な唾液アミラーゼモニタを使用し、唾液中の唾液アミラーゼ活性を測定する必要があった。
そのため、例えばテニス等のスポーツを行うとき、スポーツ施設内で自己の緊張状態を簡便かつ廉価に知ることはできなかった。
【０００６】
そこで、考案者は鋭意研究の結果、人間が過度に緊張したときには腕等の筋肉が硬直することから、例えば、テニスラケットやゴルフクラブ等に見立てた棒体を振った時、そのスイングスピードが平常時より遅くなることを発見した。その後、この身体的な現象を利用すれば、簡便かつ廉価に緊張状態をセルフチェック可能な緊張状態検知具が得られることを知見し、この考案を完成させた。
【０００７】
本考案は、このような問題点に鑑みなされたもので、簡単かつ廉価な構造でありながら、使用者の緊張状態を簡易に検知することができる緊張状態検知具を提供することを目的としている。
【課題を解決するための手段】
【０００８】
請求項１に記載の考案は、基端部にグリップが取り付けられ、かつ先端部にストッパが固定された本体ロッドと、該本体ロッドの長さ方向にスライド自在に装着され、かつスライドして前記ストッパに衝突した際に衝突音を発生させる衝突スライダとを備えたことを特徴とする緊張状態検知具である。
【０００９】
請求項１に記載の考案によれば、あらかじめ衝突スライダを本体ロッドのグリップ側に配置し、この状態で使用者がグリップを握って本体ロッドを振る。これにより、遠心力の作用によって衝突スライダが本体ロッドの先端方向へスライドし、ストッパに衝突する。この時の衝突音の大きさ（無音を含む）で、緊張状態の度合いを簡易にセルフチェックすることができる。
すなわち、使用者が過剰に緊張していなければ、スイングスピードは低下せず、平常時の速度で衝突スライダがストッパに衝突し、普段通りの大きさ（音量）の衝突音が発生する。一方、過度の緊張状態にあれば、筋肉が硬直してスイングスピードが低下し、平常時より衝突スライダのスライドスピードが遅くなり、ストッパに衝突した際の衝突音が小さくなる。
このように、簡単かつ廉価な構造の緊張状態検知具（本体ロッド）を振るだけで、使用者（自己、他者）の緊張状態を簡易に検知することができる。
【００１０】
緊張状態検知具は、電動モータなどの各種のアクチュエータや各種のセンサを使用せず、使用者が手軽に使用できる手動式のストレスチェックグッズである。
この緊張状態検知具は、例えば、テニス、卓球、バトミントンなどのラケットスポーツや、その他、野球、ゴルフなどのスポーツ全般で利用することができる。その他、日常生活やプレゼンテーションなどの緊張するビジネスシーン等でもよい。
本体ロッドの素材は剛体であれば限定されない。例えば、各種の木（杉、檜、楓、松、メープル、竹等）、各種の金属（鉄、ステンレス、チタン、アルミニウム等）、各種の硬質プラスチック（ポリエチレン、ポリプロピレン、ポリエチレンテレフタレート、ポリ塩化ビニル、ＡＢＳ樹脂、ポリカーボネート等）といったものを採用することができる。その他、本体ロッドはカーボン製でもよい。
【００１１】
本体ロッドは中身が詰まった中実体でも、中空の筒体でもよい。
本体ロッドの断面形状は任意である。例えば、円形、正方形、楕円形、三角形以上の多角形でもよい。
本体ロッドの長さは任意である。例えば、３００〜１０００ｍｍでもよい。３００ｍｍ未満では、衝突スライダがストッパに衝突するまでの距離が短すぎて、使用者の緊張状態を検知しにくい。また、１０００ｍｍを超えれば、本体ロッドが長すぎて取り扱いにくい。本体ロッドの好ましい長さは、５００〜８００ｍｍである。
【００１２】
本体ロッドの太さは任意である。例えば、５〜５０ｍｍである。５ｍｍ未満では本体ロッドが細すぎて折れやすい。また、５０ｍｍを超えれば本体ロッドが太すぎて緊張状態検知具が大型化し、かつ重量が嵩む。本体ロッドの好ましい太さは、１０ｍｍ前後である。
本体ロッドのうち、衝突スライダが摺動するスライド面としては、例えば、本体ロッドの外周面が挙げられる。また、本体ロッドが筒体の場合には、その内周面でもよい。
【００１３】
ストッパの素材としては、例えば、本体ロッドと同様に剛体である、各種の木、各種の金属、各種の硬質プラスチック、カーボンなどを採用することができる。ストッパの素材は、本体ロッドと同一素材でも、異なる素材でもよい。
ストッパの形状は任意である。本体ロッド側のスライド面がロッド外周面の場合、ストッパは所定形状の筒体となる。一方、本体ロッド側のスライド面が、中空ロッドの内周面の場合、ストッパは所定形状の筒体でも、中実体でもよい。
ストッパのサイズも任意である。
【００１４】
グリップの素材は任意である。例えば、各種のゴム、各種の軟質または硬質のプラスチック等を採用することができる。その他、本体ロッドと同一素材でもよい。
グリップの形状は任意である。また、グリップは、片手握り用（例えば、長さ５０〜１５０ｍｍ）のものでも、両手握り用（例えば、長さ１５０〜３００ｍｍ）のものでもよい。
グリップの太さも任意である。例えば、直径２０〜３０ｍｍでもよい。
【００１５】
衝突スライダの素材としては、例えば、本体ロッドと同様に剛体である、各種の木、各種の金属、各種の硬質プラスチック、カーボンなどを採用することができる。衝突スライダの素材は、本体ロッドと同一素材でも、異なる素材でもよい。衝突スライダは、ストッパとの衝突時に、使用者や周囲の者に明瞭に聞き取れる衝突音を発せなければならないため、硬度が高い素材からなるものが好ましい。
衝突スライダの形状は任意である。本体ロッド側のスライド面がロッド外周面の場合には、衝突スライダは所定形状の筒体となる。一方、このスライド面が中空ロッドの内周面の場合には、所定形状の筒体でも中実体でもよい。
【００１６】
衝突スライダの長さは限定されない。例えば、１０〜１００ｍｍである。１０ｍｍ未満では衝突スライダが短すぎて（軽すぎて）、ストッパ衝突時に響きのよい衝突音が発生しない。また、１００ｍｍを超えれば衝突スライダが長すぎて、同様にストッパ衝突時の発音性が悪い。衝突スライダの好ましい長さは３０〜４０ｍｍである。
衝突スライダの使用個数は任意である。１個でも複数個でもよい。複数個の場合、各衝突スライダのスライド面の摩擦力は均一でもよいし、何れかの摩擦力を大きくしてもよい。
【００１７】
請求項２に記載の考案は、前記衝突スライダは、前記本体ロッドの外周面にスライド自在に装着され、前記ストッパは、前記本体ロッドの先端部の外周面に突設されたことを特徴とする請求項１に記載の緊張状態検知具ことを特徴とする請求項１に記載の緊張状態検知具である。
【００１８】
請求項２に記載の考案によれば、本体ロッドを振ると、遠心力の作用により衝突スライダが本体ロッドの外周面に沿って、その長さ方向の先端側へスライドする。その後、衝突スライダは、本体ロッドの先端部から外方へ突出したストッパに衝突し、衝突音が発生する。
このように、衝突スライダが露出しているため、使用者は、例えば鏡等を利用し、視覚的に衝突スライダの移動（スイングスピード）を確認することができるとともに、筒状の本体ロッド内を衝突スライダがスライドし、これが本体ロッドの先端開口を塞ぐストッパに衝突するものに比べて、衝突音が大きく、かつメンテナンスも容易である。
【００１９】
請求項３に記載の考案は、前記衝突スライダは複数で、そのうち、最もストッパ側の衝突スライダのスライド面の摩擦力の方が、残りの衝突スライダのスライド面の摩擦力より大きいことを特徴とする請求項１または請求項２に記載の緊張状態検知具である。
【００２０】
請求項３に記載の考案によれば、複数の衝突スライダのうち、最もストッパ側の衝突スライダのスライド面の摩擦力が、残りの衝突スライダの摩擦力より大きい。そのため、本体ロッドを振ったとき、各衝突スライダは、低速で移動する最もストッパ側の衝突スライダの後部に、摩擦力が小さい残りの衝突スライダの先部が当接した状態で一体的に移動する。その結果、最先側の衝突スライダがストッパに衝突した時、これらの間で衝突音がするだけでなく、それとほぼ同時に、ストッパに衝突して撥ね返った最先側の衝突スライダと、残りの衝突スライダ（具体的には次のスライダ、またこれとその次のスライダ…）とが連鎖的に衝突する。
【００２１】
このとき、残りの衝突スライダは、最先側の衝突スライダより摩擦力が小さいため、ストッパ衝突時、最先側の衝突スライダより大きく撥ね返る。その結果、衝突スライダが1個の場合より衝突音が大きいのはもちろんのこと、各スライド面の摩擦力が均一の衝突スライダを複数個使用した場合より、大きくて響きのある衝突音を発生させることができる。よって、平常時に使用者が本体ロッドを振った時と、過剰な緊張状態で本体ロッドを振った時との音量差（音色の違い）が拡大し、使用者の過度な緊張状態の検知がさらに容易となる。
【００２２】
最もストッパ側の衝突スライダのスライド面の摩擦力を、残りの衝突スライダのスライド面の摩擦力より大きくする方法は任意である。例えば、最もストッパ側の衝突スライダの重量を増大し、垂直抗力を高めることが考えられる。また、衝突スライダのスライド面に摩擦係数が大きくなるシート材等を着脱自在に取り付けてもよい。
最もストッパ側の衝突スライダのスライド面の摩擦力の大きさは、残りの衝突スライダのそれより大きければ任意である。例えば、残りの衝突スライダの摩擦力の１．１倍〜３倍である。
【００２３】
請求項４に記載の考案は、前記衝突スライダには、該衝突スライダのスライド面の摩擦力を変更する摩擦力変更構造部が設けられたことを特徴とする請求項１〜請求項３のうち、何れか１項に記載の緊張状態検知具である。
【００２４】
請求項４に記載の考案によれば、摩擦力変更構造部によって、衝突スライダのスライド面の摩擦力を変更可能に構成している。そのため、例えば、使用者の本体ロッドを振るスイングスピードに応じて、衝突スライダの移動速度を変更することができる。
すなわち、使用者が例えば女性や子供等で、本体ロッドのスイングスピードが、平常時でも基準となる一般成人男性より遅い場合には、衝突スライダのスライド面の摩擦力が小さくなるように摩擦力変更構造部を操作する。また、使用者がアスリートの場合には、一般成人男性がスイングしたときと同程度の衝突スライダのスライドスピードとなるように、摩擦力変更構造部を操作して衝突スライダのスライド面の摩擦力を大きくする。
【００２５】
摩擦力変更構造部の構成は任意である。例えば、衝突スライダのスライド面から押し当て突起の先端部を突出させるものなどを採用することができる。
【考案の効果】
【００２６】
本考案の緊張状態検知具は、基端部にグリップが取り付けられ、かつ先端部にストッパが固定された長尺な本体ロッドと、本体ロッドの長さ方向にスライド自在に装着され、かつスライドしてストッパに衝突した際に衝突音を発生させる衝突スライダとを備えたものである。
そのため、衝突スライダを本体ロッドのグリップ側に配置し、この状態で使用者がグリップを握って本体ロッドを振れば、衝突スライダが、遠心力の作用により本体ロッドの先端方向へスライドし、ストッパに衝突する。この時の衝突音の大きさで、使用者の緊張状態の度合いを簡易的に検知することができる。すなわち、使用者が過剰に緊張していれば、筋肉が硬直してスイングスピードが低下し、平常時より衝突スライダのスライドスピードが遅くなり、ストッパに衝突した際の衝突音が小さくなる。
このように、緊張状態検知具は、廉価で構造が簡単なものであって、本体ロッドを振るだけで、使用者の緊張状態を簡便に知ることができる。
【００２７】
特に、請求項２に記載の考案によれば、本体ロッドの外周面に衝突スライダがスライド自在に外挿され、またストッパが、本体ロッドの先端部の外周面に突設されているため、本体ロッドを振れば、遠心力の作用により、衝突スライダが本体ロッドの外周面に沿って先端方向へスライドし、ロッド先端部から突出したストッパに衝突し、衝突音が発生する。
このとき、衝突スライダは外部に露出した状態であるため、使用者は、例えば鏡等を利用し、視覚的に衝突スライダの移動（スイングスピード）を確認できるとともに、例えば筒状の本体ロッド内を衝突スライダがスライドするものに比べて衝突音が大きくなり、メンテナンスも容易となる。
【００２８】
請求項３に記載の考案によれば、複数の衝突スライダのうち、最もストッパ側の衝突スライダのスライド面の摩擦力が、残りの衝突スライダの摩擦力より大きく設計されている。そのため、本体ロッドを振ったとき、各衝突スライダは、低速で移動する最もストッパ側の衝突スライダの後部に、摩擦力が小さい残りの衝突スライダが連結状態で一体的に移動する。その結果、最先側の衝突スライダがストッパに衝突した時、これらの間で衝突音がするだけでなく、それとほぼ同時に、ストッパに衝突して撥ね返った最先側の衝突スライダと、残りの衝突スライダとが連鎖的に衝突する。
【００２９】
このとき、残りの衝突スライダは、最先側の衝突スライダより摩擦力が小さいため、ストッパ衝突時、最先側の衝突スライダより大きく撥ね返る。その結果、各スライド面の摩擦力が均一の衝突スライダを複数個用いた場合より、大きく響きのある衝突音を発することができる。よって、平常時に使用者が本体ロッドを振った時と、過剰な緊張状態で本体ロッドを振った時との音量差（音色の違い）が拡大し、使用者の過度な緊張状態の検知がさらに容易となる。
【００３０】
請求項４に記載の考案によれば、摩擦力変更構造部を用いて、衝突スライダのスライド面の摩擦力を変更するように構成している。そのため、例えば、使用者の本体ロッドを振るスイングスピードに応じて、衝突スライダの移動速度を変更することができる。
例えば、使用者が女性や子供で、本体ロッドのスイングスピードが基準者（例えば成人男性）より遅い場合には、衝突スライダのスライド面の摩擦力が小さくなるように、摩擦力変更構造部を調整する。一方、例えば使用者がアスリートで、スイングスピードが基準者より速い場合には、このスライド面の摩擦力が大きくなるように摩擦力変更構造部を調整する。
【図面の簡単な説明】
【００３１】
【図１】本考案の実施例１に係る緊張状態検知具の一部拡大図を含む平面図である。
【図２】本考案の実施例１に係る緊張状態検知具の使用状態を示す斜視図である。
【図３】本考案の実施例２に係る緊張状態検知具の要部拡大断面図である。
【考案を実施するための形態】
【００３２】
以下、本考案の実施例を具体的に説明する。
【実施例】
【００３３】
図１において、１０は本考案の実施例１に係る緊張状態検知具で、この緊張状態検知具１０は、基端部にグリップ１１が取り付けられ、かつ先端部の外周面にストッパ１２が外方へ突出状態で固定された中実の断面円形の本体ロッド１３と、本体ロッド１３の外周面をスライド面として、その長さ方向にスライド自在に外挿され、かつスライド（摺動）してストッパ１２に衝突した際に衝突音を発生させる３個の衝突スライダ１４〜１６とを備えたものである。
【００３４】
図1に示すように、本体ロッド１３は、長さ７７０ｍｍ、直径１０ｍｍの檜からなる丸棒である。
グリップ１１は、長さ１１０ｍｍ、直径２２ｍｍのポリ塩化ビニルからなる握り柄である。
ストッパ１２は、長さ４０ｍｍ、直径１８ｍｍの檜からなる円筒キャップである。
各衝突スライダ１４〜１６は、長さ３８ｍｍ、内径１０．５ｍｍ、外径２０ｍｍ、重量２ｇのポリカーボネートからなる円筒体である。
このうち、最もストッパ側（以下、最先側）の衝突スライダ１４には、その先端部に垂直抗力を高める２ｇの環状ウエイト１７が外篏されている。しかも、そのスライド面（内周面）の全域には、摩擦力を高めるために微細な凹凸加工（エンボス加工）１８が施されている。これにより、最先側の衝突スライダ１４は、残り２個の衝突スライダ１４，１５より滑りにくい。なお、凹凸加工に代えて、最先側の衝突スライダ１４のスライド面に、静電気等で短繊維を植毛してもよい。
【００３５】
次に、図１および図２を参照して、本考案の実施例１に係る緊張状態検知具１０の使用方法を説明する。ここでは、テニスの試合前にプレーヤーが緊張状態をセルフチェックする場合を例とする。
図１および図２に示すように、あらかじめ各衝突スライダ１４〜１６を本体ロッド１３のグリップ側に移動させておく。
その後、この状態のまま使用者がグリップ１１を利き手で握り、テニスのラケットを振るときの要領で、本体ロッド（緊張状態検知具１０）１３を振る（図２の矢印参照）。
【００３６】
これにより、３個の衝突スライダ１４〜１６は、遠心力の作用により本体ロッド１３の先端方向へスライドし、最先側の衝突スライダ１４がストッパ１２に衝突する（図２の一点鎖線および二点鎖線参照）。この時の衝突音の大きさで、使用者の緊張状態の度合いを簡易的に検知することができる。
すなわち、使用者が過剰に緊張していなければ、スイングスピードは低下せず、平常時の速度で衝突スライダ１４がストッパ１２に衝突し、普段通りの大きさ（音量）の衝突音が発生する。一方、使用者が過剰に緊張していれば、筋肉が硬直してスイングスピードが低下し、平常時より衝突スライダ１４のスライドスピードが遅くなり、ストッパ１２に衝突した際の衝突音が小さくなる。
【００３７】
上述したように、３個の衝突スライダ１４〜１６は、最先側の衝突スライダ１４のスライド面の摩擦力の方が、残りの衝突スライダ１５，１６の摩擦力より大きく設計されている。そのため、本体ロッド１３を振ったとき、各衝突スライダ１４〜１６は、低速で移動する最先側の衝突スライダ１４の後部に、摩擦力が小さく高速で移動する残りの衝突スライダ１５，１６が連続した状態で一体的に移動する。その結果、最先側の衝突スライダ１４がストッパ１２に衝突した時、単に最先側の衝突スライダ１４とストッパ１２との間で衝突音が発生するだけでなく、それとほぼ同時に、ストッパ１２に衝突して撥ね返った最先側の衝突スライダ１４と中間側の衝突スライダ１５とが衝突し、さらに中間側の衝突スライダ１５と最後側の衝突スライダ１６とが連鎖的に衝突して、それぞれ衝突音が発生する。
【００３８】
このとき、残りの衝突スライダである中間側の衝突スライダ１５と最後側の衝突スライダ１６とは、最先側の衝突スライダ１４より摩擦力が小さい。そのため、ストッパ衝突時、最先側の衝突スライダ１４に比べて大きく撥ね返る。その結果、各スライド面の摩擦力が均一の衝突スライダを３個使用した場合に比べて、スライダ全体として、大きく響きのある衝突音を発することができる。よって、平常時に使用者が本体ロッド１３を振った時と、過剰な緊張状態で本体ロッド１３を振った時との音量差（音色の違い）、および、スイング開始から発音するまでの時間差が拡大し、使用者の過度な緊張状態の検知がさらに容易となる。
このように、緊張状態検知具１０は、廉価で構造が簡単なものであって、本体ロッド１３を振るだけで、使用者の緊張状態を簡便に知ることができる。
【００３９】
また、ここでは衝突スライダ１４〜１６およびストッパ１２が本体ロッド１３の外に露出しているため、使用者は、例えば鏡等を利用し、視覚的に衝突スライダ１４〜１６の移動（スイングスピード）を自分で簡単に確認できるとともに、筒状の本体ロッド内を衝突スライダがスライドするものに比べて、衝突音が大きくメンテナンスもし易い。
【００４０】
次に、図３を参照して、本考案の実施例２に係る緊張状態検知具について説明する。
図３に示すように、実施例２の緊張状態検知具１０Ａの特徴は、先端側の衝突スライダ１４Ａに、平行雄ねじ２０とテーパー雌ねじ２１とを有したねじ込み式の摩擦力変更構造部２２を設け、先端側の衝突スライダ１４Ａのスライド面の摩擦力を無段階に変更できるように構成した点である。
以下、これを具体的に説明する。
摩擦力変更構造部２２は、先端側の衝突スライダ１４Ａの先端部の外周面に、周方向へ３等割り（１２０°ピッチでスリットＳが配設）して形成した平行雄ねじ２０と、平行雄ねじ２０に螺合されるテーパー雌ねじ２１が内周面に形成され、かつナットのねじ込みにより、この平行雄ねじ付きの先端部を徐々に縮径する締め付けナット２３とを有している。
【００４１】
緊張状態検知具１０Ａの使用時、先端側の衝突スライダ１４Ａのスライド面の摩擦力を大きくしたい場合には、締め付けナット２３のねじ込み量を徐々に大きくする。これにより、平行雄ねじ２０とテーパー雌ねじ２１との螺合幅が長くなり、この衝突スライダ１４Ａの周方向へ３等分割された先端部が徐々に縮径され、摩擦力を無段階に高めることができる。
一方、先端側の衝突スライダ１４Ａのスライド面の摩擦力を小さくしたい場合には、締め付けナット２３を徐々に緩める。これにより、平行雄ねじ２０とテーパー雌ねじ２１との螺合幅が短くなり、この衝突スライダ１４Ａの先端部が徐々に拡径されて摩擦力が小さくなる。
【産業上の利用可能性】
【００４２】
本考案は、使用者の緊張状態を簡易に検知するための緊張状態検知具として有用である。
【符号の説明】
【００４３】
１０，１０Ａ  緊張状態検知具
１１  グリップ
１２  ストッパ
１３  本体ロッド
１４，１４Ａ〜１６  衝突スライダ
２２  摩擦力変更構造部
【図１】
0003212892.tif 000003
【図２】
0003212892.tif 000004
【図３】
0003212892.tif 000005